(57)【要約】【課題】従来の顆粒状のペット尿吸収剤は、尿を吸収し終えた後に、ペット飼育ケージ内から取り除く時に、手間と時間がかかり、またペットが足で顆粒状ペット尿吸収剤を掻き散らし周囲を汚しやすい欠点があった。ペットの尿処理を簡単にし、ペット飼育ケージの清掃をきれいにまた簡単におこなうために本考案を完成するに至った。【解決手段】網目を有する袋にペット尿吸収材を封入する。本ペット尿吸収処理材をペット飼育ケージ内に入れて使用する、或いはペットが排尿するに便なる容器に入れて使用する。【選択図】図２
0003129962.tif 000002
【実用新案登録請求の範囲】
【請求項１】
ペット尿吸収材を網目を有する袋に封入したペット尿吸収処理材。
【請求項２】
網目を有する袋の網の目開きが0.5ｍｍから10ｍｍである請求項１記載の
ペット尿吸収処理材。  
【考案の詳細な説明】
【技術分野】
【０００１】
本考案は、ペットが排尿するに便なる容器に入れて使用するペット尿吸収処理材に関する。
【背景技術】
【０００２】
従来、家庭で飼育されているペットの尿を吸収させるものとして顆粒状のペット尿吸収材が用いられている。また近年は、吸水性下葉紙と、該下葉紙層の上面に積層した表面吸水層との間に濃度の薄い水溶性接着剤を散布して全体一体化された吸水性シートであって、
吸収性下葉紙層の表面と表面吸収層の裏面が吸水後に分離すべく重合されてなる吸水性シートが知られている（特許文献１）。さらに、上部に開口部を有し、底部に便を排出する
排便口を有する排便室と、前記排便室の下方に設けられ、外部から閉塞された溜め室とから構成されているペット用トイレにおいて、前記排便室の内部には、少なくとも表面が撥水性を有する撥水部材が充填されていることを特徴とするペット用トイレが知られている（特許文献２）。
【０００３】
【特許文献１】実開平２−１２４１３６号公報
【特許文献２】実開平６−７５１５１号公報
【考案の開示】
【考案が解決しようとする課題】
【０００４】
従来の顆粒状のペット尿吸収材は、尿を吸収し終えた後に、ケージ内から取り除く時に手間と時間がかかり、またスノコの無いケージではペットが足で顆粒状ペット尿吸収材を掻き散らし飛散させ周囲を汚しやすい欠点があった。さらに袋入り顆粒状ペット尿吸収材の使用に当って、袋から適量を掬い出すことも手間と時間がかかる上、ペット尿吸収材入り袋の開口部をいちいち閉めないと袋からこぼれて周囲を汚しやすい等の欠点があった。
一方前記吸水性シートや撥水部材は、いずれも高価であるという欠点があった。そこで本考案者等は、これら従来の欠点を解消すべく種々検討を重ねた結果、本考案を完成するに至った。
【課題を解決するための手段】
【０００５】
すなわち、本考案は、ペット尿吸収材を網目を有する袋に封入したペット尿吸収処理材に関する。
【考案の効果】
【０００６】
本考案のペット尿吸収処理材を使用することで、ペット尿の清掃管理を短時間に、またきれいにおこなうことが出来る。すなわち、本考案のペット尿吸収処理材をペット飼育ケージのスノコの下に敷き、あるいはペット飼育ケージの一隅に設置されるペットトイレに敷き入れることで、ペット尿吸収処理材に尿を吸収させ、尿吸収後に取り出すだけで飼育ケージあるいはペットトイレを簡単に掃除が出来る。また従来のペット尿吸収材のように、取扱い時に誤ってこぼしたりして周囲を汚すこともなく、さらにペットが足でペット尿吸収材を掻きだしたり、飛散させたりすることを防止出来て周囲を汚さない。
【考案を実施するための最良の形態】
【０００７】
本考案のペット尿吸収処理材に用いられる網目を有する袋１の一例を示せば図１のとおりである。網目を有する袋１の形状は正方形、長方形、三角形、円形とその形状は問わないが、ペット尿吸収材の50ｃｃから２l位が入る大きさでの袋であることが好ましい。この網目を有する袋１の素材は、綿、麻、パルプ、ナイロン、ポリエチレン等その素材を問わないが、焼却処理出来る素材が望ましい。前記網目を有する袋１の網の目開きは0.50ｍｍから10ｍｍ、好ましくは2ｍｍから7ｍｍのものが最適である。封入するペット尿吸収材２の素材は木材チップ、木材細末、製紙用パルプ、牧草、乾燥豆腐殻、ベントナイトなどペットの尿を吸収する物質であればその種類を問わないが、焼却処理できるものが望ましい。
【０００８】
本考案のペット尿吸収処理材に用いられるペット尿吸収材２は、ペット尿吸収素材をペレット、顆粒状等に成型して得られる。その形状は球形、円筒形、扁平形、顆粒不定形等いずれの形態でもよい。例えば直径3〜7ｍｍ、長さ5〜15ｍｍに成型したペット尿吸収材３が挙げられる。ペット尿吸収材２は袋の網目よりこぼれ出ないように網目目開きよりも大きい形状でなければならない。
【０００９】
本考案は、前記したペット尿吸収材２を網目を有する袋１に封入することによって、
図２に示すようなペット尿吸収処理材３を得ることができる。
【００１０】
本考案のペット尿吸収処理材３は、ペットがウサギ、モルモット、ハムスター、フェレ
ットなどのいわゆる小動物である場合、網目を有する袋の大きさは、これら小動物を収容
するケージに設置されるスノコの下に敷くに適した大きさとしたり、あるいは、ケージの
一隅にセットされるペットトイレに敷き入れるに適した大きさとする。ペットが犬、猫の
場合、収容ケージの一隅あるいは排尿を行う場所に敷き置きにするに適した扁平状に広が
る網目を有する袋とすることが好ましい。
【００１１】
次に本考案をさらに具体的に説明するために実施例を掲げるが、本考案はこれらの実施例のみに限定されるものではない。
【００１２】
実施例１                            
ヒノキ材の細末を直径5ｍｍ、長さ8ｍｍのペレットに成型しペット尿吸収材とする。これの400 ccを網目袋に封入しペット尿吸収処理材を調製する。網目袋の素材は柔軟性あるポリエチレンであり、網目の目開きは3ｍｍである。袋は敷き延ばした時に上面の表面積が300ｃｍ２、厚さが15ｍｍとなる大きさの袋を使用した。ウサギ用トイレのスノコの下に当該品１袋を敷き入れる。ウサギ用トイレは飼育ケージの一隅にセットされるもので、面積350ｃｍ２、深さ７cmのものである。スノコ付であり、スノコの下に当該品を敷き入れる。当該品がウサギの尿を吸収した後、当該品を取り出すだけで手間がかからず素早く、周囲を汚すことなくウサギ用トイレの清掃が出来た。                                                                    
【００１３】
実施例２          
製紙用パルプを直径約10ｍｍの球状に成型しペット尿吸収材とする。これの600 ccを網目袋に封入する。網目袋の素材は柔軟性あるナイロンであり、網目の目開きは4ｍｍである。袋は当該品を敷き延ばした時に上面の表面積が750ｃｍ２、厚さ10ｍｍとなる大きさの袋を使用した。スノコ付ウサギ用ケージのスノコの下に当該品を4袋敷き入れる。ウサギ用ケージ
ページ（３）
の大きさは幅46cm奥行68cm高さ50cmである。ウサギの尿を吸収した当該品を順次交換し、簡単にケージの清掃管理が出来た。
【００１４】
実施例３                
松などの針葉樹のおが屑を直径5ｍｍ、長さ10ｍｍのペレットに成型しペット尿吸収材とする。これの300 ccを網目袋に封入する。網目袋の素材は綿製であり、網目の目開きは3ｍｍである。袋は敷き延ばした時に上面の表面積が250ｃｍ２、厚さ1５ｍｍとなる大きさの袋を使用した。当該品１袋をハムスターケージに敷き入れ尿を吸収させた。使用後の処理は、当該品を取り出すだけであり簡単に清掃が出来た。
【００１５】
実施例４                        
ヒノキ材のおが粉末を直径６ｍｍ  長さ15ｍｍのペレットに成型しペット尿吸収材とする。これの400ｃｃを網目袋に封入する。網目袋の素材は柔軟性あるポリエチレンであり網目の目開きは４ｍｍである。袋は敷き延ばした時に上面の表面積が300ｃｍ２、厚さが15ｍｍとなる大きさの袋を使用した。当該品１袋を犬・猫を運搬するボックスに入れ、ボックス内に排尿した時の尿を吸収させることにより、安心してペットを運搬出来た。
【図面の簡単な説明】
【００１６】
【図１】ペット尿吸収材を封入する網目を有する袋の平面図である。
【図２】ペット尿吸収処理材の斜視図である。
【符号の説明】
【００１７】
１  網目を有する袋      
２  ペット尿吸収材
３  ペット尿吸収処理材                    
【図１】
0003129962.tif 000003
【図２】
0003129962.tif 000004